(57)【要約】      （修正有）【課題】２枚のマイクロニードルパッチを製造後使用までの間、効果を損なわずかつ衛生的に、１個の収納容器に保持するためのマイクロニードルパッチ収納容器を提供する。【解決手段】マイクロニードルパッチ収納容器は容器２０と蓋とで構成され、容器は最外周である周辺部２１と、周辺部の内部に周辺部より窪んだ第１架台部２２、２３と、第１架台部の内部に第１架台部よりさらに窪んだ第２架台部２４と、第２架台部の内部に第２架台部よりさらに窪んだ底面部２５を有する。第１架台部はいくつかに分断されており、上方の第１架台と下方の第１架台は互いに向き合わない位置にあり、第２架台部は第１架台部若しくは周辺部の内側に設けられる。１つのマイクロニードルパッチは蓋の窪み部と第１架台部２２、２３との間で保持され、他のマイクロニードルパッチは第２架台部２４上に保持される。【選択図】図２
0003179380.tif 000002
【実用新案登録請求の範囲】
【請求項１】
容器と蓋とで構成され、
該容器は、最外周である周辺部と、該周辺部の内部に該周辺部より窪んだ第１架台部と、該第１架台部の内部に該第１架台部よりさらに窪んだ第２架台部と、該第２架台部の内部に該第２架台部よりさらに窪んだ底面部を有し、
該周辺部、該第１架台部、該第２架台部及び該底面部は互いに側面部で接続されており、
該第１架台部はいくつかに分断されており、上方の第１架台と下方の第１架台は互いに向き合わない位置にあり、
該第２架台部は、該第１架台部若しくは該周辺部の内側に設けられ、
該底面部は、該第２架台部の内側を占める、ことを特徴とし、
該蓋は、該第１架台部との間にマイクロニードルパッチを保護離型シートで挟む窪み部を有することを特徴とする、
２枚のマイクロニードルパッチを上下に収納するためのマイクロニードルパッチ収納容器。
【請求項２】
前記マイクロニードルパッチ収納容器の全体形状が角を丸めた長方形状であり、前記底面部も角を丸めた長方形状であることを特徴とする、請求項１に記載のマイクロニードルパッチ収納容器。
【請求項３】
前記第１架台部は、上部にやや長い１個の中央第１架台と、下部にそれより短い２個の両端第１架台とに分断されて設けられていることを特徴とする請求項２に記載のマイクロニードルパッチ収納容器。
【請求項４】
前記第２架台部は、前記第１架台部若しくは前記周辺部の内側に連続して設けられていることを特徴とする請求項２に記載のマイクロニードルパッチ収納容器。
【請求項５】
前記第２架台部は、前記第１架台部若しくは前記周辺部の内側に、いくつかに分断され断続的に設けられていることを特徴とする請求項２に記載のマイクロニードルパッチ収納容器。
【請求項６】
前記容器の前記周辺部と前記第２架台部との間に、前記底面部と同一平面上にあり、マイクロニードルパッチをつまんで取り出しやすくするための第２底面部を有することを特徴とする請求項１に記載のマイクロニードルパッチ収納容器。
【請求項７】
前記第２底面部が、容器内部の対角線上の位置の２箇所に設けてあることを特徴とする請求項６に記載のマイクロニードルパッチ収納容器。
【請求項８】
前記蓋の窪み部と、前記第１架台部とが、完全に組み合っていないことを特徴とする請求項１に記載のマイクロニードルパッチ収納容器。
【請求項９】
前記周辺部及び前記第１架台部と前記第２架台部との間に、前記底面部と同一平面上にある第２底面部を連続的に有することを特徴とする請求項１に記載のマイクロニードルパッチ収納容器。
【請求項１０】
前記容器と前記蓋の対応する位置に、切り込み及び耳を備えることを特徴とする請求項１に記載のマイクロニードルパッチ収納容器。
【請求項１１】
表面に帯電防止処理が付されていることを特徴とする請求項１に記載のマイクロニードルパッチ収納容器。
【請求項１２】
収納容器周辺部をヒートシール可能なフィルム又はフィルムとラミした紙とでヒートシールにより融着密閉することを特徴とする請求項１に記載のマイクロニードルパッチ収納容器。
【請求項１３】
保護離型シートの上方部分には、前記第１架台部の上方の第１架台のある位置にその架台の幅とほぼ等しい幅の凸の部分があり、保護離型シートの下方部分には、前記第１架台部の下方の第１架台のある位置にその架台の幅とほぼ等しい幅の凸の部分がある、
ことを特徴とする保護離型シートを有し、請求項１ないし請求項１２のいずれか１項に記載のマイクロニードルパッチ収納容器に収納するに適したマイクロニードルパッチ。
【請求項１４】
保護離型シートの上方部分には、前記第１架台部の上方の中央第１架台のある位置にその架台の幅とほぼ等しい幅の凸の部分があり、保護離型シートの下方部分には、前記第１架台部の下方の両端第１架台のある位置にその架台の幅とほぼ等しい幅の凸の部分がある、
ことを特徴とする保護離型シートを有し、請求項３に記載のマイクロニードルパッチ収納容器に収納するに適したマイクロニードルパッチ。
【考案の詳細な説明】
【技術分野】
【０００１】  本考案は、マイクロニードルパッチを収納する収納容器に関する。
【背景技術】
【０００２】  皮膚表面に薬効成分を含む液状物質、軟膏剤、クリーム製剤、テープ製剤、パッチ製剤、パップ製剤等を塗布又は貼付し、薬効成分を皮膚内に浸透させ効果を発揮させようとしても、皮膚の発汗作用や皮膚と外部との接触等により薬効成分は容易に消失・脱落するため十分な効果を上げることができない。さらに、皮膚は体内に異物が侵入するのを阻止するバリアー機能を有しており、薬効成分を皮膚に塗布又は貼付するのみで皮膚内に吸収させることは容易ではない。【０００３】  最近、皮膚内に薬効成分を確実に供給する方法としてマイクロニードルが開発された（特許文献１）。マイクロニードルとは、長さが１ｍｍに満たない微小な針である。マイクロニードルを生体内で容易に溶解消失する物質により作成すると、刺入されたマイクロニードルは皮膚内で溶解し、吸収されて消失する（特許文献２）。従って、予めマイクロニードルに薬効成分を含有させておけば、薬効成分を皮膚内の特定の場所に供給できる。このようなマイクロニードルを基板上に多数配列すればマイクロニードルアレイとなり、ニードル数に比例して送達量を増加させることができるため実用上大きな期待が持たれている（特許文献２−４、非特許文献１）。マイクロニードルアレイに、マイクロニードルアレイを皮膚に付着させるための粘着シートや保護離型シート等を付加して使用しやすい製品としたものがマイクロニードルパッチである。【０００４】  マイクロニードルは概して長さが１ｍｍより短く、直径は０．１ｍｍ程度であるため、刺入に際し痛みを感じることはなく、また出血もない。刺入箇所は速やかに閉鎖されて痕跡を残さない。その結果マイクロニードルは皮膚の特定の箇所に特定の薬効成分を送達する優れた方法と認知されている。マイクロニードルにはワクチンの送達などの医学的な用途のほか、ヒアルロン酸等の皮膚有効成分の皮膚表面への送達やほくろやあざ隠し等化粧品としての用途もあり注目されている。【０００５】  初期のマイクロニードルは１ｃｍ２程度の大きさの堅い基板上に１００本程度のマイクロニードルを備えたものであった。しかし、最近顔面の広い部分を一度に改善したいとの要望が高まり、平面でない顔面にフィットさせるため、基板を柔らかくしてその上にマイクロニードルを備えたマイクロニードルアレイが開発されてきた。【０００６】  マイクロニードルアレイを市場にて消費者に届けるためには、適切な容器が必要である。マイクロニードルアレイは針部分を有し、輸送あるいは販売・保存のさい針部分を保護する必要があるため、従来広く使用されているテープ剤などの貼付剤の容器（特許文献５、６）をそのまま流用することはできない。また、柔らかい基板を有するマイクロニードルアレイに堅い基板用の容器（特許文献７−９）を流用することもできない。
【先行技術文献】
【特許文献】
【０００７】
【特許文献１】特表２００２−５１７３００号公報
【特許文献２】特開２００３−２３８３４７号公報
【特許文献３】特開２００６−３４６１２６号公報
【特許文献４】特開２００８−２８４３１８号公報
【特許文献５】特開２００６−０５６５４３号公報
【特許文献６】特表２００８−５１８０４２号公報
【特許文献７】登録実用新案３１５２５３２号公報
【特許文献８】特開２０１０−７５４８５号公報
【特許文献９】特開２０１０−７５４８６号公報
【非特許文献】
【０００８】
【非特許文献１】権英淑、神山文男、「マイクロニードル製品化への道程」薬剤学、社団法人日本薬剤学会、平成２１年４月、第６９巻、第４号、ｐ．２７２−２７６
【考案の概要】
【考案が解決しようとする課題】
【０００９】  マイクロニードルパッチは皮膚に貼付して薬効成分を送達するものであるため、その製造後流通過程を経て使用されるまでの間、衛生的でかつその薬効を損なわないように保持される必要がある。本考案が解決しようとする課題は、この目的のため、基板が柔軟なマイクロニードルアレイに粘着テープを付加し、さらにその粘着面に離型シートを付したマイクロニードルパッチを保持するに適切なマイクロニードルパッチ収納容器を提供することにある。【００１０】  マイクロニードルパッチの使用の際、両眼の下に貼付するなどの場合、一度に同等なものが２枚必要となることがあるが、従来２枚収納するに適したマイクロニードルパッチ収納容器は知られていない。本発明が解決しようとする第２の課題は、２枚の同等なマイクロニードルパッチを収納しうるマイクロニードルパッチ収納容器を提供することにある。
【課題を解決するための手段】
【００１１】  上記課題を解決するためになされた本発明に係るマイクロニードルパッチ収納容器は、容器と蓋とで構成され、
該容器は、最外周である周辺部と、該周辺部の内部に該周辺部より窪んだ第１架台部と、該第１架台部の内部に該第１架台部よりさらに窪んだ第２架台部と、該第２架台部の内部に該第２架台部よりさらに窪んだ底面部を有し、該周辺部、該第１架台部、該第２架台部及び該底面部は互いに側面部で接続されており、該第１架台部はいくつかに分断されており、上方の第１架台と下方の第１架台は互いに向き合わない位置にあり、該第２架台部は、該第１架台部若しくは該周辺部の内側に設けられ、該底面部は、該第２架台部の内側を占める、ことを特徴とし、
該蓋は、該第１架台部との間にマイクロニードルパッチを保護離型シートで挟む窪み部を有することを特徴とし、
２枚のマイクロニードルパッチを上下に収納できることを特徴とする。
なお、上方の第１架台とは第１架台の内図２（ａ）の上方の部分を、下方の第１架台とは第１架台の内図２（ａ）の下方の部分をいう。上方と下方とは互いに反対側であればよく、いずれを上方いずれを下方とするかの区別は便宜的なものである。【００１２】  本考案のマイクロニードルパッチ収納容器では、第１のマイクロニードルパッチを第１架台部上に置き第１架台と蓋の窪み部で挟んで保持し、第２のマイクロニードルパッチを第２架台上に置く。このとき２つのマイクロニードルパッチの保護離型シートは同一形状であっても差し支えない。実用上は、左右の目の下に貼るマイクロニードルアレイを想定すれば、保護離型シートは同一形状で、２枚のマイクロニードルアレイは互いに左右対称形状であることが好都合である。また、両マイクロニードルは、共にニードル部分を下向きにして保持される。【００１３】  本考案のマイクロニードルパッチ収納容器の全体形状は、角を丸めた長方形状とするのが取り扱いやすい。全体形状が角を丸めた長方形状となると、蓋も第２架台部も底面部も角を丸めた長方形状とするのが自然である。【００１４】  第１架台部は、上方にやや長い１個の中央第１架台と、下方にそれより短い２個の両端第１架台とに分断して設けると、取扱が容易である。
なお、上方に３個の第１架台、下方に２個の第１架台を設け、これらを互いに向き合わないように配置してもよい。【００１５】  第２架台部は、第１架台部若しくは周辺部の内側に連続して設けるのが実用上便利である。しかし、第２架台部は、第１架台部若しくは周辺部の内側に、いくつかに分断して設けてもよい。【００１６】  本マイクロニードルパッチ収納容器に収納するマイクロニードルパッチの保護離型シートの形状は、上方部分と下方部分に凹部と凸部とが向き合ったような形状を有することが望ましい。保護離型シートの上方部分には、第１架台部の上方の架台がある位置にその架台の幅とほぼ等しい幅の凸部があり、９０°回転させたとき架台のある部分を凹部とする。保護離型シートの下方部分は、第１架台部の下方の架台がある位置にその架台の幅とほぼ等しい幅の凸部があり、９０°回転させたとき架台のある部分を凹部とする。
ここに保護離型シートの上方部分とは、保護離型シートを平面的かつ横長に置き、目視的に上となる部分をいう。この上方部分は、第１架台部の上方と対応する。【００１７】  本考案において重要なのは、第１架台部の形状と収納すべきマイクロニードルパッチの離型シートの形状が対応している点にある。その対応が保たれることが望ましい。対応を保つ形状には、具体的にはいろいろなものがある。【００１８】  容器の周辺部と第２架台部との間に、底面部と同一平面上に第２底面部を設けると、マイクロニードルパッチをつまんで取り出しやすくなり好都合である。
この第２底面部が容器内部の対角線上の位置の２箇所にあると、マイクロニードルパッチをよりつまんで取り出しやすくなるのでより好都合である。【００１９】  本考案に係るマイクロニードルパッチ収納容器は、第１架台部と蓋の窪み部とで第１架台上に保持されるマイクロニードルパッチの保護離型シートを押さえつける構造となっている。従って蓋の窪み部は第１架台部に対応する位置にのみ存在すればよい。ただ、蓋の窪み部がそれより広ければ、輸送中にマイクロニードルパッチの振動を抑制する効果を有するので広くてもよい。【００２０】  前記第１架台部と前記蓋の窪み部が、第１架台部上の保護離型シートを全面的に押しつけるようにを構成すると、静電気の作用によりマイクロニードルパッチが蓋の窪み部に密着する場合がある。静電気によりマイクロニードルパッチが蓋に吸着すると、蓋を取り外す際マイクロニードルパッチが不意に飛び出したり、また容器に吸着して取り出し難くなったりする。蓋の窪み部による押しつけを部分的とすると、静電気の影響を弱めて取扱が容易となり好ましい。静電気の影響をより少なくしマイクロニードルパッチが蓋に吸着するのを防ぐには、第１架台部と蓋の窪み部とを若干ずらして完全に組み合わないように設計するのが好ましい。【００２１】  第１架台部と蓋の窪み部とを若干ずらすために、第１架台部と蓋の窪み部との間に第２底面部を連続的に設けることもできる。
第２架台部上に保持されているマイクロニードルパッチが、静電気の影響を受けて吸着されることを防ぐため、第２架台部を数個の島状部分に分割することができる。【００２２】  容器と蓋の対応する位置に、切り込み及び耳を備えると、容器から蓋を取り外しやすくなり好ましい。マイクロニードルパッチ収納容器は、製造時から使用直前までは密閉しておく必要があるが、使用に際しては容易に取り出せることが好ましいためである。【００２３】  静電気の影響を避けるには、容器及び蓋の表面に帯電防止処理を付すことが好ましい。収納容器が帯電すると、マイクロニードルパッチが収納容器に吸着し、取り扱いにくくなるためである。【００２４】  本マイクロニードル収納容器は、マイクロニードルを密閉状態で保持できるが、必ずしも無菌状態で保持できるわけではない。マイクロニードルを無菌状態で保持するためには、容器とマイクロニードルパッチを無菌処理した後、容器を減菌紙または減菌フィルムシートにより形成した袋の中に格納して密閉することが望ましい。収納容器周辺部をヒートシール可能なフィルム又はフィルムとラミした紙とでヒートシールにより融着密閉することが好ましい。【００２５】  貼付剤、つまり有効薬剤成分と接着剤を混ぜ樹脂フィルム上に展開したいわゆる貼り薬では、通常有効成分の上に離型シートをおき、皮膚に貼付する前に離型シートを剥ぎ取って有効薬剤成分を直接皮膚に接触させるように貼付するのが通常である。この場合、皮膚の角質層の上に貼るので清潔なことは望ましいが、角質層のバリア効果の存在のため無菌とまでは要求されない。【００２６】  この点で、マイクロニードルパッチ収納容器に必要な条件は、貼付剤収納容器に必要な要件より厳しい。マイクロニードルは、皮膚角質層内に刺入されるため衛生的に保存されなければならない。また、ニードルは鋭利でなければ皮膚内に刺入できないので、ニードル先端を破損しうるような堅いものを当てることはできない。また、ニードルは皮膚角質層内に刺入されるので、粘着剤のような角質層内に入って安全かどうかわからないものを付着させてはならない。すなわち、マイクロニードルは、減菌状態でかつ容器のいかなる部分にも接触させない状態で保護離型シートの部分のみで保持され保存されなければならない。このため、マイクロニードル収納容器は、必然的に、貼付剤収納容器とは構造的にも異なるものとなり、貼付剤収納容器から類推して設計することはできない。
また、マイクロニードルアレイが柔軟なとき、堅いマイクロニードルアレイを保存する方法をそのまま用いることもできない。堅いものと柔軟なものとでは、保持方法が異なるためである。【００２７】  マイクロニードルパッチ収納容器の材質は特に限定しないが、射出成形加工若しくはプレス加工が容易な樹脂が好ましい。特に透明若しくは半透明であれば中身の状況を外から目視できるので好ましい。また、空気や水蒸気の透過性が小さく、長期にわたってマイクロニードルパッチを安定に保護できることが望ましい。具体的には、ポリエチレンテレフタレート（ＰＥＴ）、ポリプロピレン（ＰＰ）、ポリエチレン（ＰＥ）が好ましいが、なかでもＰＥＴはγ線、電子線照射滅菌による劣化や発臭が少ないので特に好ましい。
【考案の効果】
【００２８】  本考案のマイクロニードルパッチ収納容器によれば、１つの容器に同時に使用する２枚のマイクロニードルパッチを離型シートの部分で保持することができ、マイクロニードル部分は容器のいかなる部分とも接触しない。マイクロニードルパッチが柔軟なシートであるとしても、開封するときまで衛生的に保持できる。【００２９】  本考案のマイクロニードルパッチ収納容器は、静電気の影響を避けるように設計されている。もし静電気の影響があると、蓋を取り外す際マイクロニードルパッチが蓋に吸着して急に飛び出したり、収納容器に吸着して取り出しにくくなったりするためである。
【図面の簡単な説明】
【００３０】
【図１】実施例で用いた２枚のマイクロニードルパッチの図。
【図２】第１実施例のマイクロニードルパッチ収納容器の容器の図。（ａ）は平面図、（ｂ）はＡ−Ａ断面図。
【図３】第１実施例のマイクロニードルパッチ収納容器の蓋の図。（ａ）は蓋の平面図、（ｂ）はＢ−Ｂ断面図。
【図４】第１実施例のマイクロニードルパッチ収納容器に２個のマイクロニードルパッチを収納したときの容器の概略図。
【図５】第２実施例のマイクロニードルパッチ収納容器の容器の図。
【図６】第３実施例のマイクロニードルパッチ収納容器の容器の図。
【考案を実施するための形態】
【００３１】  以下、本考案の実施の形態を実施例に基づき説明する。本実施例は目の下に貼付することを想定して設計されたマイクロニードルパッチを収納するため設計されたものであるが、他の形状のマイクロニードルアレイパッチであればそれに応じて適宜設計変更すればよいのであって、本考案は実施例の形状に限定されるわけではない。特に、以下の実施例は、マイクロニードルパッチ収納容器の全体形状が角を丸めた長方形状となっているが、例えば楕円形状としても以下の実施例に若干の修正を加えれば実施可能であり、本考案の範囲内である。
【実施例１】
【００３２】  本実施例に用いた２枚のマイクロニードルパッチ１０を図１に示す。この２枚は同一であるが、互いに逆向きに収納するので、互いに逆向きに記載している。
この図はマイクロニードルパッチの背面側、すなわちマイクロニードルのない側から見た図である。マイクロニードルは直接見えないので、マイクロニードルが備えられたマイクロニードルアレイ１１は点線で示している。【００３３】  マイクロニードルアレイ１１は、図１に示すように、かまぼこ形の断面の底を窪ませた平面形状をしており、横幅約４０ｍｍ、縦幅約１５ｍｍである。これは目の下に貼付することを想定して設計された形状である。このマイクロニードルアレイ１１は左右対称の形状であるが、左右非対称の形状であってもよい。その場合、２つのマイクロニードルアレイどうしは互いに左右対称形状であることが望ましい。
このマイクロニードルアレイは柔軟なシート状であり、顔面の凹凸に合わせて変形させることができる。
マイクロニードルのサイズは限定ではないが、長さ３０〜１０００μｍのニードルが５０〜５００本／ｃｍ２程度備えられている。主成分はヒアルロン酸であるが、皮膚のしわ取りや若返り活性化に有効な成分を含んでいてもよい。【００３４】  マイクロニードルアレイ部分とほぼ同じ形で、周辺が２〜１０ｍｍ広い形の粘着シート１２が、マイクロニードルアレイ面の背側（マイクロニードルのない面）に粘着されている。なお、粘着面はアレイ面と同じ方向である。粘着シートは図１で実線で示されている。粘着シート１２の底の部分が幅狭くしてあるのは、マイクロニードルアレイ１１をなるべく目に近づけて貼付するためである。【００３５】  粘着シート１２のマイクロニードルアレイ面側には、ほぼ長方形の保護離型シート１３（７０×４５ｍｍ）が粘着面を覆うように貼り付けられている。保護離型シートは、収納や保持を容易とするため、粘着シートよりかなり大きい。保護離型シートはマイクロニードルアレイ部分は切り抜いている。マイクロニードルを汚さないためである。なお、同一の容器に収納される２つのマイクロニードルパッチの保護離型シートは同一形状であると取扱上便利である。
保護離型シートには、２枚のマイクロニードルパッチを１つの容器に上下に収納するために必要な凸部１４、１７や凹部１５、１６が設けられている。図１の上の図の右上が切り欠いてあるのは、マイクロニードルパッチを容器から取り出しやすくするためである。【００３６】  このマイクロニードルパッチを使用する際は、離型シート１３中央に切断線１８を設けているので、離型シートの両端を持ち、離型シートを開くように広げて剥ぎ取りながら貼付部位（目の下）に接触させれば、粘着シート１２により粘着する。その後、マイクロニードルアレイ１１面を軽くたたくことにより、マイクロニードルが皮膚角質内に刺入される。皮膚の痛みを感じる部分は皮膚表面から１ｍｍ程度内部といわれているので、この刺入により痛みを感じることは殆どない。【００３７】  上記のマイクロニードルパッチを収納・保管・運搬するのに適した、実施例１のマイクロニードルパッチ収納容器を図２〜図４に示す。材質はポリエチレンテレフタレート（Ｐｏｌｙｅｔｈｙｌｅｎｅ  ｔｅｒｅｐｈｔｈａｌａｔｅ：ＰＥＴ）である。
本マイクロニードルパッチは容器と蓋とで構成されているが、図２は容器の図、図３は蓋の図、図４は２枚のマイクロニードルパッチを収納したときの容器の概略図である。【００３８】  図２（ａ）は容器の平面図である。
容器は、最外周である周辺部２１と、周辺部の内部に周辺部より窪んだ第１架台部２２，２３と、第１架台部の内部に第１架台部よりさらに窪んだ第２架台部２４と、第２架台部の内部に第２架台部よりさらに窪んだ底面部２５を有する。周辺部、第１架台部、第２架台部及び底面部は互いに側面部で密につながれている。図でほぼ平行な２重線で示されている部分が側面部であって、周辺部や底面部に対し垂直よりややゆるやかな勾配を有するので、２重線で表されている。
第１架台部は、上部にやや長い１個の中央第１架台２２と、下部にそれより短い２個の両端第１架台２３とに分断されている。第２架台部２４は、第１架台部若しくは周辺部の内側に連続して設けられている。また、底面部２５は、第２架台部の内側全面を占めている。【００３９】  この容器には、マイクロニードルパッチをつまんで取り出しやすくするための第２底面部２６と、容器から蓋を外しやすくするための切り込み２７が設けられている。第２底面部２６は底面部２５と同一平面上にある。切り込み２７は、蓋をしたとき蓋の耳３３と対応する位置に設けられている。【００４０】  図２（ｂ）は容器のＡ−Ａ断面図である。実線で示したのが断面、細線で示したのが側面から見たとき見える部分である。
第１架台部２２が周辺部２１より窪んでいること、第２架台部２４がそれよりさらに窪んでいること、底面部２５が容器の底であること、これらの部分が側面部で密に連続していること、が示されている。【００４１】  図３（ａ）は蓋の平面図、図３（ｂ）は蓋のＢ−Ｂ断面図である。断面図において、実線で示したのが断面である。
蓋はほぼ平面状の蓋平面部３１と、容器の第１架台部との間にマイクロニードルパッチを保護離型シートで挟む窪み部３２を有する。
実施例１のマイクロニードルパッチ収納容器は、容器に蓋をかぶせて、閉じた収納容器となる。この時蓋と容器を取り外しやすくするため、蓋には、容器の切り込み２７と対応する位置に耳３３が設けられている。【００４２】  本収納容器は容器及び蓋の表面に帯電防止処理を施し、帯電によりマイクロニードルパッチが容器に吸着することを防止している。
図４は、実施例１のマイクロニードルパッチ収納容器にマイクロニードルパッチ２枚を収納したときの容器の概略図である。
【実施例２】
【００４３】  マイクロニードルパッチ収納容器の他の例を図５に示す。容器４０の第１架台部４２、４３が上部に短い３個と、下部の向き合わない位置に短い２個とに分断されている。その他の点では、実施例１のマイクロニードルパッチ収納容器と同じである。
一般に、第１架台部の上部の架台と下部の架台とを互いに向き合わないように構成すれば、本発明の目的を達する。【００４４】  このマイクロニードルパッチ収納容器に収納すべきマイクロニードルパッチは、実施例１の場合とは異なり、凸部１４が３つと凹部１５が４つなければならない。これらは図４のマイクロニードルパッチ収納容器の容器４０の第１架台部４２に対応して設けられる。また凸部１７及び凹部１６が第１架台部４３に対応して設けられる。
【実施例３】
【００４５】  マイクロニードルパッチ収納容器の第３の例を図６に示す。容器５０の第２架台部５４が４つに分断されている。その他の点では、実施例１のマイクロニードルパッチ収納容器と同じである。このマイクロニードルパッチ収納容器に収納されるべきマイクロニードルパッチは、実施例１のものと同じでよい。
一般に、第２架台部は連続的であっても島状であっても差し支えない。
【符号の説明】
【００４６】１０      第１実施例のマイクロニードルパッチ
１１      第１実施例のマイクロニードルアレイ
１２      第１実施例の粘着シート
１３      第１実施例の保護離型シート
１４、１７  第１実施例の保護離型シート凸部
１５、１６  第１実施例の保護離型シート凹部
１８      第１実施例の保護離型シート切断線
２０      第１実施例のマイクロニードルパッチ収納容器の容器
２１      第１実施例の容器の周辺部
２２、２３  第１実施例の容器の第１架台部
２４      第１実施例の容器の第２架台部
２５      第１実施例の容器の底面部
２６      第１実施例の容器の第２底面部
２７      第１実施例の容器の切り込み
３０      第１実施例のマイクロニードルパッチ収納容器の蓋
３１      第１実施例の蓋の蓋平面部
３２      第１実施例の蓋の窪み部
３３      第１実施例の蓋の耳
４０      第２実施例のマイクロニードルパッチ収納容器の容器
４２，４３  第２実施例のマイクロニードルパッチ収納容器の第１架台部
５０      第３実施例のマイクロニードルパッチ収納容器の容器
５４      第３実施例のマイクロニードルパッチ収納容器の第２架台部
【図１】
0003179380.tif 000003
【図２】
0003179380.tif 000004
【図３】
0003179380.tif 000005
【図４】
0003179380.tif 000006
【図５】
0003179380.tif 000007
【図６】
0003179380.tif 000008